(57)【要約】【課題】  気体を入れる刀剣玩具でありながら、二刀流で簡易に刀剣の抜き差しの感覚を味わえる衛生的な刀剣玩具を提供すること。【解決手段】刀部及び柄部を備えた刀剣を少なくとも一対有する。第一の刀剣３は、第二の刀剣５を保持する保持部４２を備える。この保持部４２には第二の刀剣５を貫通させる貫通孔４３を形成してある。この保持部４２は第二の刀剣５の刀部全長に比較して短い範囲でこの刀部の一部において弾性的に接触して第二の刀剣５を保持する。第一刀剣３の全長は、第二刀剣５より長く構成されている。【選択図】    図１
2010273822.tif 000002
【特許請求の範囲】
【請求項１】
刀部及び柄部を備えた刀剣を少なくとも一対有する刀剣玩具であって、
第一の前記刀剣は、第二の前記刀剣を保持する保持部を備え、この保持部には前記第二刀剣を貫通させる貫通孔を形成してあり、この保持部は前記第二刀剣の刀部全長に比較して短い範囲でこの刀部の一部において弾性的に接触して前記第二刀剣を保持する刀剣玩具。
【請求項２】
前記第一刀剣の全長は、前記第二刀剣より長く構成されている請求項１記載の刀剣玩具。
【請求項３】
前記第一刀剣は鍔部をさらに備え、前記保持部は前記鍔部に形成されている請求項１又は２記載の刀剣玩具。
【請求項４】
前記保持部は、前記第一刀剣の前記柄部の基端に形成されている請求項１又は２記載の刀剣玩具。
【請求項５】
前記第一刀剣の刀部と柄部には、ストラップを取付可能である請求項１〜４のいずれかに記載の刀剣玩具。
【請求項６】
前記第一刀剣は、前記第一刀剣の前記刀部の峰側に前記ストラップを取り付ける取付部を有し、前記貫通孔は、前記鍔部のうち前記刀部の刃側に形成されている請求項５記載の刀剣玩具。
【請求項７】
前記第二刀剣は、前記貫通孔の口径より大きい拡大部を有する請求項１〜６のいずれかに記載の刀剣玩具。
【請求項８】
少なくとも前記刀部は内部に気体を入れる軟質の袋状体によって形成されている請求項１〜７のいずれかに記載の刀剣玩具。
【発明の詳細な説明】
【技術分野】
【０００１】
本発明は、刀剣玩具に関する。さらに詳しくは、刀部及び柄部を備えた刀剣を少なくとも一対有する刀剣玩具に関する。
【背景技術】
【０００２】
刀剣玩具においては、例えば特許文献１のように、硬質のプラスチック製で刀部を納める鞘部が分離して形成されているものがある。しかし、鞘部が分離するため、整理や持ち運びが煩雑であった。
一方、内部に気体を入れる軟質の刀剣玩具においては、刀部を鞘部に収納することが摩擦のため困難であり、例えば特許文献２及び特許文献３では鞘部は設けられていない。そして、鞘部を仮に設けると、鞘部と刀部が閉鎖的な接触関係にあり、遊技により液滴が付着した場合は、非衛生的となる場合もありえる。
【先行技術文献】
【特許文献】
【０００３】
【特許文献１】特開２００５−２２４４３２号公報
【特許文献２】実用新案３１４６４４２号公報
【特許文献３】実開昭６３−１４６６９３号公報
【発明の概要】
【発明が解決しようとする課題】
【０００４】
かかる従来の実情に鑑みて、本発明は、気体を入れる刀剣玩具でありながら、二刀流で簡易に刀剣の抜き差しの感覚を味わえる衛生的な刀剣玩具を提供することを目的とする。
【課題を解決するための手段】
【０００５】
上記目的を達成するため、本発明に係る刀剣玩具の特徴は、刀部及び柄部を備えた刀剣を少なくとも一対有する刀剣玩具であって、第一の前記刀剣は、第二の前記刀剣を保持する保持部を備え、この保持部には前記第二刀剣を貫通させる貫通孔を形成してあり、この保持部は前記第二刀剣の刀部全長に比較して短い範囲でこの刀部の一部において弾性的に接触して前記第二刀剣を保持することにある。
【０００６】
上記特徴によれば、第一刀剣における保持部が、実質的に第二刀剣の鞘となる。よって、鞘がないにもかかわらず、第二刀剣を抜き差しすることができるので、刀剣の鞘に対する抜き差しの感覚を味わうことができる。また、第一刀剣を把持しながら第二刀剣を抜き差しするので、鞘が無くても鞘を把持している感覚を第一刀剣から擬似的に体感することができる。さらに、収納時には、両刀剣を組み合わせて分離を防ぐので、整理がしやすい。しかも、保持部は第二刀剣の刀部の一部分のみで接触し、刀部の残りの大半は露出していることとなる。よって、閉鎖的ではなく、遊技により液滴が付着しても乾燥状態が保たれ、衛生的である。また、刀部の一部分のみで接触するので、剣との接触面積が小さくなり、粘着・摩擦の問題を防げる上、適当な抵抗感で抜き差しすることができる。
【０００７】
前記第一刀剣の全長は、前記第二刀剣より長く構成してもよい。これにより、第一刀剣における刀部も、実質的に第二刀剣の鞘となる。よって、前記第一刀剣の全長が長いため、把持する場所に困らない。さらに、把持しやすく安定するため、子供の力でも容易に第二刀剣を抜き差しできるようになる。
【０００８】
また、前記第一刀剣は鍔部をさらに備え、前記保持部を前記鍔部に形成するようにしても構わない。これにより、第一刀剣と他の刀とは略平行に保持されることとなり、鍔部付近で抜き差しできるため、刀剣の鞘に対する抜き差しの擬似感が更に高まる。
【０００９】
前記保持部は、前記第一刀剣の前記柄部の基端に形成してもよい。これにより、第一刀剣と他の刀とは直交する形で保持されることとなり、全く違う角度にて抜き差しを味わうことができる。また、刀剣を抜き差しする体の動きができない幼い子供や、体の小さい子供でも、体を開く、閉じる等の自然な手の動きで第二刀剣を抜き差しすることができる。
【００１０】
さらには、前記第一刀剣の刀部と柄部には、ストラップを取付可能であっても構わない。これにより、手で支えなくとも携行可能となるため、より自由に遊ぶことができる。また、例えば腰周りに第一刀剣の刀部を位置させることができるため、刀剣を把持しやすく抜き差し時の安定感が高まる。
【００１１】
前記第一刀剣は、前記第一刀剣の前記刀部の峰側に前記ストラップを取り付ける取付部を有し、前記貫通孔は、前記鍔部のうち前記刀部の刃側に形成してもよい。これにより、携行時には第一刀剣が第二刀剣の上側に位置することになり、第一刀剣の柄部を把持し易くなるため、鞘を把持する擬似感を更に高めることができる。
【００１２】
また、前記第二刀剣は、前記貫通孔の口径より大きい拡大部を有しても構わない。これにより、拡大部が実質的に第二刀剣の鍔となり、拡大部で第二刀剣が必要以上に貫通しないため、刀を差しきった際に生じる固定感を味わうことができる。
【００１３】
少なくとも前記刀部は内部に気体を入れる軟質の袋状体によって形成してもよい。軽く、弾性があるため、人体に接触しても傷つかず、子供が怪我することを気にせず自由に遊ぶことができる。また、空気を抜くとコンパクトになるため、子供はどこでも持ち運んで遊ぶことができ、管理する大人にとっては整理する場所を選ばない。
【発明の効果】
【００１４】
上記本発明に係る刀剣玩具の特徴によれば、二刀流と保持部を利用した抜き差しの感覚とを巧みに組み合わせることにより、簡素且つ衛生的な構成で、児童に創造性が広がる遊技を行わせることが可能となった。
【００１５】
本発明の他の目的、構成及び効果については、以下の発明の実施の形態の項から明らかになるであろう。
【図面の簡単な説明】
【００１６】
【図１】（ａ）は本発明に係る刀剣玩具の使用状態を示す斜視図、（ｂ）は刀剣玩具の第二の刀剣を引き抜いた使用状態を示す斜視図である。
【図２】刀剣玩具を示す図であり、（ａ）は正面図、（ｂ）は背面図である。
【図３】刀剣玩具を示す図であり、（ａ）は平面図、（ｂ）は底面図である。
【図４】刀剣玩具を示す図であり、（ａ）は右側面図、（ｂ）は左側面図である。
【図５】刀剣玩具の第一刀剣を示す図であり、（ａ）は正面図、（ｂ）は背面図である。
【図６】刀剣玩具の第一刀剣を示す図であり、（ａ）は平面図、（ｂ）は底面図である。
【図７】刀剣玩具の第一刀剣を示す図であり、（ａ）は右側面図、（ｂ）は左側面図である。
【図８】刀剣玩具の第二刀剣を示す図であり、（ａ）は正面図、（ｂ）は背面図である。
【図９】刀剣玩具の第二刀剣を示す図であり、（ａ）は平面図、（ｂ）は底面図である。
【図１０】刀剣玩具の第二刀剣を示す図であり、（ａ）は右側面図、（ｂ）は左側面図である。
【図１１】貫通孔における第一刀剣と第二刀剣との接触状態を説明する説明図であり、（ａ）は図２ａ相当図、（ｂ）は（ａ）のＡ−Ａ線拡大断面図、（ｃ）は（ａ）のＢ−Ｂ線拡大断面図である。
【図１２】本発明の他の実施形態を示す概略図であり、（ａ）は平面図、（ｂ）は背面図である。
【図１３】本発明の他の実施形態を示す概略図である。
【発明を実施するための形態】
【００１７】
次に、適宜添付図面を参照しながら、本発明をさらに詳しく説明する。
図２〜４に示すように、本発明に係る刀剣玩具１は、大略、第一の刀剣３及び第二の刀剣５からなる。第一刀剣３は第二刀剣５を保持する保持部４２を有し、保持部４２には貫通孔４３が設けられている。第二刀剣５は、前記貫通孔４３に貫通されることで保持される。
【００１８】
図５〜７に示すように、第一刀剣３は、刀部３１と柄部３２と鍔部４１からなる。刀部３１は峰３１ａと刃３１ｂと刃先（先端部）３１ｃを有し、柄部３２は基端部３２ａを有する。刀部３１及び柄部３２は、空気を入れた（充満／封入させた）状態で略円柱形であり、先端部３１ｃにおいて細く、基端部３２ａにおいて拡大する形状となっている。鍔部４１には保持部４２が形成されており、保持部４２には第二刀剣５を保持するための貫通孔４３が設けられている。鍔部４１は、空気を入れた状態で略直方体の形状をなし、貫通孔４３は略楕円形の孔となっている。貫通孔４３は、第一刀剣３の刃３１ｂ側に位置するように設けられ、刀部３１及び柄部３２の長手方向と平行する方向に貫通している。
【００１９】
刀部３１と柄部３２には一対の取付部３４ａ，３４ｂが、刀部３１の峰３１ａ側に設けられている。取付部３４ａ，３４ｂにはストラップ３５の両端を取り付け可能となっており、これにより刀剣玩具１を肩よりぶら下げて、携行することができる。ストラップ３５には紐状、ベルト状、その他ストラップに適した形状が適宜選択される。これにより、刀剣玩具１を手で支えなくとも携行可能となるため、より自由に遊ぶことができる。また、例えば腰周りに第一刀剣３の刀部３１を位置させることができるため、刀剣を把持しやすく抜き差し時の安定感が高まる。
【００２０】
柄部３２の基端部３２ａ周辺には、内部空間と外部空間を連通及び遮断するための空気栓３６が設けられている。係る空気栓３６としては、外部から開閉操作可能な蓋部に加えて、内部に気体の排出阻止する逆止弁が設けられた構造のものが採用される。
【００２１】
刀部３１、柄部３２及び鍔部４１は、例えば、軟質の２枚の合成樹脂製のシートの周縁部を互いに溶着することにより形成される。その後、刀部３１と鍔部４１は溶着部３３ａによって溶着され、鍔部４１と柄部３２は溶着部３３ｂによって溶着される。各部は内部において連通し、全体として中空となっているため、空気の出し入れにより、膨張させ、縮小させることができる。
【００２２】
図８〜１０に示すように、第二刀剣５は、刀部５１と柄部５２と拡大部５３からなる。第二刀剣５の全長は、第一刀剣３より短くなっている。刀部５１は刃先（先端部）５１ａを有し、柄部５２は基端部５２ａを有する。刀部５１及び柄部５２は、空気を入れた状態で略円柱形であり、先端部５１ａにおいて細く、基端部５２ａにおいて拡大する形状となっている。
【００２３】
拡大部５３は突出部５３ａ，５３ｂにより形成されている。この突出部５３ａ，５３ｂは、刀部５１の長手方向に直交する面において相対する二方向に突出している。これにより、拡大部５３が実質的に第二刀剣５の鍔部となり、刀を差しきった際に固定感を生じさせることができる。なお、拡大部５３は、貫通孔４３の口径より大きければよく、例えば円形や、長方形、又は菱形等であってもよい。
【００２４】
柄部５２の基端部５２ａ周辺には、第一刀剣３と同様に空気栓５４が設けられている。刀部５１、柄部５２及び拡大部５３は、軟質の２枚の合成樹脂製のシートの全外周縁部を互いに溶着することによって、一体的に形成される。第二刀剣５の内部は、全体として中空となっているため、空気の出し入れにより、膨張させたり、縮小させることができる。
【００２５】
本発明に係る第一刀剣３の鍔部４１、保持部４２及び貫通孔４３並びに第二刀剣５の拡大部５３は、同様の効果を奏する限りにおいては、適宜形状を変更しても構わない。例えば、鍔部４１は略円柱形であってもよいし、貫通孔４３は略円形であってもよい。
【００２６】
ここで、第二刀剣５の着脱（抜き差し）を行うための構造を説明する。
図１１に示すように、第二刀剣５が保持されている状態で、第二刀剣５の刀部５１は貫通孔４３に対して接触面４４ａ，４４ｂにおいて接触する。その際に、貫通孔４３の全面に密着しているわけではなく、貫通孔４３の一部の接触面４４ａ，４４ｂにおいて接触しているため、空隙４５を生じている。この状態から第二刀剣５を引き抜いた場合、上記構造より、第二刀剣５の刀部５１と貫通孔４３とは常に一部の接触面４４ａ，４４ｂで接触し続けることとなり、継続的な接触状態が生じる。また、空隙４５が常に存在することより、粘着・摩擦が抑えられ、第二刀剣５が途中で止まることを防げる。これにより、第二刀剣５を適当な抵抗感で抜き差しすることが可能となり、鞘部が存在するかのような擬似感を生じる。
【００２７】
次に本発明に係る刀剣玩具１の遊び方について説明する。
刀剣玩具１は、第一刀剣３の刀部３１を把持し、第二刀剣５を抜き差しすることで、鞘部を擬似的に体感しながら遊ぶことが可能である。
【００２８】
図１に示すように、ストラップ３５により携行して遊ぶことも可能である。その際には、第一刀剣３が、第二刀剣５よりも上側に位置する。したがって、第一刀剣３の刀部３１を把持しやくなり、あたかも第二刀剣５の鞘を把持しているような感覚を擬似的に体感しながら、より容易に抜き差しの動作を行うことができる。また、第一刀剣３がストラップ３５により体にぶら下がるため、第一刀剣３の移動を最小限に抑えることができ、走り回って遊ぶことになっても、安定して抜き差しすることができる。
【００２９】
最後に本発明のさらに別の実施形態の可能性を列挙する。なお、上記実施形態と同様の部材には、同一の符号を付してある。
上記実施形態において、保持部４２は第一刀剣３の鍔部４１に形成した。しかし、例えば図１２に示すように、保持部４２’を第一刀剣３の柄部３２の基端部３２ａに設けても構わない。その場合は基端部３２ａに貫通孔４３’が設けられ、第一刀剣３と第二刀剣５とが直交するように保持される。したがって、上記実施形態とは全く違う角度にて抜き差しを味わうことができる。また、刀剣を抜き差しする体の動きができない幼い子供や、体の小さい子供でも、体を開く、閉じる等の自然な手の動きで第二刀剣５を抜き差しすることができる。
【００３０】
上記実施形態において、保持部４２を有する第一刀剣３と保持部４２を有さない第二刀剣５にて一対の刀剣玩具１を構成した。しかし、例えば図１３に示すように、保持部４２を有する第一刀剣３、３同士で一対の刀剣玩具１を構成しても構わない。その場合は、上記実施形態とは違う保持感を味わうことができる。
【００３１】
保持部４２は鍔部４１及び柄部３２の基端部３２ａの一方に限らず、両方に設けても構わない。また、保持部４２の貫通孔４３は１つに限らず、複数の孔を形成してもよい。その場合は、三刀流、四刀流等の複数の刀を使用する擬似感を体感でき、よりバリエーションにとんだ遊びを行うことができる。
【００３２】
上記実施形態における鍔部は、刀部及び柄部と同様の合成樹脂素材を使用しているが、鍔部においては、ＥＶＡ発砲素材の別素材を用いても構わない。また、柄の部分は硬質の例えばプラスチック等で形成してもよい。しかし、そのような場合は収納容積が増え、持ち運びや収納等が煩雑となるため、持ち運びや収納の点で上記実施形態の方が優れている。
【００３３】
なお、本願における「二刀流」の語は、少なくとも二本以上の刀を有する状態を指し、三刀流以上も本願に含まれる趣旨で用いられるものとし、本願における刀部とは、一般的に刀身と呼ばれる部分から柄部に収まっている部分を除いた部分を示し、両刃の剣等他の形態の刀剣においても同様の部分を示すものとする。
【産業上の利用可能性】
【００３４】
本発明は、特に模造刀剣を用いた遊戯等において、刀剣玩具として利用することができる。
【符号の説明】
【００３５】
１：刀剣玩具、３：第一の刀剣、５：第二の刀剣、３１：刀部、３１ａ：峰、３１ｂ：刃、３１ｃ：刃先（先端部）、３２：柄部、３２ａ：基端部、３３ａ，ｂ：溶着部、３４ａ，ｂ：取付部、３５：ストラップ、３６：空気栓、４１：鍔部、４２，４２’：保持部、４３，４３’：貫通孔、４４ａ，ｂ：接触面、４５：空隙、５１：刀部、５１ａ：刃先（先端部）、５２：柄部、５２ａ：基端部、５３：拡大部（鍔部）、５３ａ，ｂ：突出部、５４：空気栓
【図１】
2010273822.tif 000003
【図２】
2010273822.tif 000004
【図３】
2010273822.tif 000005
【図４】
2010273822.tif 000006
【図５】
2010273822.tif 000007
【図６】
2010273822.tif 000008
【図７】
2010273822.tif 000009
【図８】
2010273822.tif 000010
【図９】
2010273822.tif 000011
【図１０】
2010273822.tif 000012
【図１１】
2010273822.tif 000013
【図１２】
2010273822.tif 000014
【図１３】
2010273822.tif 000015